(57)【要約】【課題】柱上変圧器等に残留する絶縁油に含まれる有機ハロゲン化合物を、特別な分解処理装置を使用することなく簡易に短期間で、有害なダイオキシン類を副生することなく洗浄でき、柱上変圧器等を解体前に無害化処理できる有機ハロゲン化合物内蔵機器の無害化処理方法を提供する。【解決手段】有機ハロゲン化合物を含む絶縁油を内蔵する機器から、該絶縁油が抜き出された抜油後の機器内に、水素供与体とアルカリ化合物の混合溶液を充填する充填工程と、該処理液を触媒充填装置に流通させながら循環させることにより機器に残存する有機ハロゲン化合物を溶出分解し、該循環を、機器及びその内部の付属部材に残存する有機ハロゲン化合物が卒業基準を満たすまで実施する洗浄工程と、を有し、洗浄工程終了後に処理液を抜き出し、機器を解体することを特徴とする有機ハロゲン化合物内蔵機器の無害化処理方法。【選択図】図３
2008194660.tif 000002
【特許請求の範囲】
【請求項１】
有機ハロゲン化合物を含む絶縁油を内蔵する機器から、該絶縁油が抜き出された抜油後の機器内に、水素供与体とアルカリ化合物の混合溶液を充填する充填工程と、
該処理液を触媒充填装置に流通させながら循環させることにより機器に残存する有機ハロゲン化合物を溶出分解し、該循環を、機器及びその内部の付属部材に残存する有機ハロゲン化合物が卒業基準を満たすまで実施する洗浄工程と、を有し、
洗浄工程終了後に処理液を抜き出し、機器を解体することを特徴とする有機ハロゲン化合物内蔵機器の無害化処理方法。
【請求項２】
前記充填工程の後に、機器に残存する有機ハロゲン化合物を、前記混合溶液に溶解もしくは溶出させる処理液調製工程を有することを特徴とする、請求項１に記載の有機ハロゲン化合物内蔵機器の無害化処理方法。
【請求項３】
前記洗浄工程における処理液温度が常温以上６０℃以下である、請求項１又は２に記載の有機ハロゲン化合物内蔵機器の無害化処理方法。
【請求項４】
前記充填工程の前に、前記機器に開口部を設ける開口部形成工程を有し、充填工程において前記開口部から絶縁油を抜き取りながら機器内に水素供与体とアルカリ化合物の混合溶液を充填する、請求項１〜３のいずれかに記載の有機ハロゲン化合物内蔵機器の無害化処理方法。
【請求項５】
前記絶縁油が、少量の有機ハロゲン化合物を含む絶縁油であり、
前記充填工程の前に、該絶縁油を内蔵する機器内に、水素供与体とアルカリ化合物を添加して処理油を調製し、該処理油を触媒充填装置に流通させながら循環させることにより有機ハロゲン化合物を分解する分解工程と、前記機器から処理油を抜き取る抜油工程を有することを特徴とする、請求項１〜３のいずれかに記載の有機ハロゲン化合物内蔵機器の無害化処理方法。
【請求項６】
前記絶縁油が、高濃度の有機ハロゲン化合物を含む絶縁油であり、
前記充填工程の前に、該絶縁油を内蔵する機器から絶縁油を抜き取り、絶縁油に水素供与体とアルカリ化合物を添加して処理油を調製し、該処理油を触媒充填装置に流通させながら循環させることにより有機ハロゲン化合物を分解する分解工程を有することを特徴とする、請求項１〜３のいずれかに記載の有機ハロゲン化合物内蔵機器の無害化処理方法。
【請求項７】
前記有機ハロゲン化合物の分解に際し、触媒充填装置内の処理液へマイクロ波を照射することを特徴とする、請求項１〜６のいずれかに記載の有機ハロゲン化合物内蔵機器の無害化処理方法。
【請求項８】
前記機器が、柱上変圧器、大型変圧器、安定器又は油絶縁ケーブルの油槽のいずれかであることを特徴とする、請求項１〜７のいずれかに記載の有機ハロゲン化合物内蔵機器の無害化処理方法。
【請求項９】
前記機器及びその内部の付属部材の材料が、鉄、銅、碍子、紙、木等であることを特徴とする、請求項１〜８のいずれかに記載の有機ハロゲン化合物内蔵機器の無害化処理方法。
【請求項１０】
前記有機ハロゲン化合物がＰＣＢであることを特徴とする、請求項１〜９のいずれかに記載の有機ハロゲン化合物内蔵機器の無害化処理方法。
【請求項１１】
前記水素供与体が、複素環式化合物、アミン系化合物、アルコール系化合物、ケトン系化合物及び脂環式化合物からなる群から選ばれた少なくとも一つの化合物であることを特徴とする、請求項１〜１０のいずれかに記載の有機ハロゲン化合物内蔵機器の無害化処理方法。
【請求項１２】
前記アルカリ化合物が、苛性ソーダ、苛性カリ、ナトリウムアルコキシド、カリウムアルコキシド及び水酸化カルシウムからなる群から選ばれた少なくとも一つの化合物であることを特徴とする、請求項１〜１１のいずれかに記載の有機ハロゲン化合物内蔵機器の無害化処理方法。
【請求項１３】
前記触媒が、炭素結晶化合物、金属担持炭素化合物、金属担持酸化物及び金属担持複合酸化物からなる群から選ばれた少なくとも一つの化合物であることを特徴とする、請求項１〜１２のいずれかに記載の有機ハロゲン化合物内蔵機器の無害化処理方法。
【発明の詳細な説明】
【技術分野】
【０００１】
本発明は、有機ハロゲン化合物を含む絶縁油が充填又は保存された電気機器（変圧器、油絶縁ケーブルの油槽等）を解体前に無害化する方法に関し、特に高濃度または低濃度のＰＣＢを含有する絶縁油が充填又は保存された電気機器（柱上変圧器等）を解体前に無害化する方法に関する。
【背景技術】
【０００２】
各種有機ハロゲン化合物のなかでも、ポリ塩化ビフェニール（以下ＰＣＢと略称する。）は人体を含む生体に極めて有害であることから、１９７３年に特定化学物質に指定され、その製造、輸入、使用が禁止されている。しかし、その後適切な廃棄方法が決まらないまま数万トンのＰＣＢが未処理の状態で放置されている。ＰＣＢは、高温（３０〜７５０℃）分解では強毒性のダイオキシン類である塩素化ジベンゾ−ｐ−ダイオキシン（ＰＣＤＤ）とジベンゾフラン（ＰＣＤＦ）が副生することから、技術的にＰＣＢを安全に分解することが難しく、永年にわたりＰＣＢの安全で効率的な各種分解法が検討されている。
【０００３】
また、有機ハロゲン化合物を絶縁油中に含む、変圧器、油絶縁ケーブルの油槽、コンデンサ、蛍光灯用安定器については、洗浄等による機器の無害化も併せて検討されている。
【０００４】
特許文献１には、ＰＣＢを含有する機器を、電器絶縁油からなる粗洗浄液で洗浄する工程と、仕上げ洗浄液で洗浄する工程又は過熱処理をする工程と、洗浄液を金属ナトリウムで脱塩素化する工程を有する無害化方法が提案されている。
【０００５】
特許文献２には、有機ハロゲン化合物を含有する静止誘導機を水及び酸化剤とともに圧力容器中に設置し、加圧及び加熱により圧力容器中の水を超臨界状態にして、有機ハロゲン化合物を分解するという、無害化方法が提案されている。
【０００６】
特許文献３には、本発明者等が提案した方法として、柱上変圧器に充填されているＰＣＢ含有絶縁油にイソプロピルアルコールとＫＯＨを混合し、Ｐｄ／Ｃ触媒存在下にマイクロ波を照射することによりＰＣＢを分解する方法が記載されている。
【特許文献１】特開２００４−８８４２号公報
【特許文献２】特開２０００−１１６８１４号公報
【特許文献３】特願２００５−６４６５３
【発明の開示】
【発明が解決しようとする課題】
【０００７】
しかしながら、特許文献１記載の方法では新たに生じる洗浄廃液を処理する工程が必要になるという問題があり、また、特許文献２に記載されている方法は高温（４３０℃）及び高圧（２５ＭＰａ）で反応させるため、装置が大掛かりになり設置場所が制限されるとともに経済性に劣る。
【０００８】
一方で、複雑な内部構造を有する機器では、絶縁油をすべて抽出することは事実上不可能であり、ＰＣＢを含む絶縁油を抜き取って別処理をした場合の、有機ハロゲン化合物を含む絶縁油の残留した機器の処理が懸念されており、低コストで簡便に機器に残留する絶縁油中の有機ハロゲン化合物を分解し機器を無害化する技術が求められている。
【０００９】
その点、本発明者等が提案した特許文献３記載の方法は、液処理と同時に内部部材中に存在するＰＣＢも溶出、分解処理することが可能であるが、万一、機器内に残ってしまう場合にはＰＣＢ含有機器を処理するために特許文献１、２であげた問題点があった。
【００１０】
本発明は、前記従来の課題に鑑みてなされたものであり、抜油後或いは分解処理後に、変圧器（柱上、大型）、油絶縁ケーブルの油槽、安定器（コンデンサ）等の機器に残留する絶縁油に含まれる有機ハロゲン化合物を、特別な分解処理装置を使用することなく簡易に短期間で、有害なダイオキシン類を副生することなく洗浄でき、機器を解体前に無害化処理することができる、有機ハロゲン化合物内蔵機器の無害化処理方法を提供することを目的とする。
【課題を解決するための手段】
【００１１】
本発明者らは、前記課題を解決するため鋭意検討した結果、有機ハロゲン化合物を含む絶縁油を内蔵する機器に、水素供与体とアルカリ化合物の混合溶液を充填し、その混合溶液を触媒充填装置に流通させ卒業基準を満たすまで循環させることにより、内蔵機器を機器付属のコイル、絶縁紙、木片等に残存する有機ハロゲン化合物も含め、短期間で簡易に無害化処理できることを見出し、本発明を完成するに至った。
【００１２】
すなわち、本発明は以下のとおりである。
１）有機ハロゲン化合物を含む絶縁油を内蔵する機器から、該絶縁油が抜き出された抜油後の機器内に、水素供与体とアルカリ化合物の混合溶液を充填する充填工程と、
該処理液を触媒充填装置に流通させながら循環させることにより機器に残存する有機ハロゲン化合物を溶出分解し、該循環を、機器及びその内部の付属部材に残存する有機ハロゲン化合物が卒業基準を満たすまで実施する洗浄工程と、を有し、
洗浄工程終了後に処理液を抜き出し、機器を解体することを特徴とする有機ハロゲン化合物内蔵機器の無害化処理方法、
２）前記充填工程の後に、機器に残存する有機ハロゲン化合物を、前記混合溶液に溶解もしくは溶出させる処理液調製工程を有することを特徴とする、前記１）に記載の有機ハロゲン化合物内蔵機器の無害化処理方法、
３）前記洗浄工程における処理液温度が常温以上６０℃以下である、前記１）又は２）に記載の有機ハロゲン化合物内蔵機器の無害化処理方法、
４）前記充填工程の前に、前記機器に開口部を設ける開口部形成工程を有し、充填工程において前記開口部から絶縁油を抜き取りながら機器内に水素供与体とアルカリ化合物の混合溶液を充填する、前記１）〜３）のいずれかに記載の有機ハロゲン化合物内蔵機器の無害化処理方法、
５）前記絶縁油が、少量の有機ハロゲン化合物を含む絶縁油であり、
前記充填工程の前に、該絶縁油を内蔵する機器内に、水素供与体とアルカリ化合物を添加して処理油を調製し、該処理油を触媒充填装置に流通させながら循環させることにより有機ハロゲン化合物を分解する分解工程と、前記機器から処理油を抜き取る抜油工程を有することを特徴とする、前記１）〜３）のいずれかに記載の有機ハロゲン化合物内蔵機器の無害化処理方法、
６）前記絶縁油が、高濃度の有機ハロゲン化合物を含む絶縁油であり、
前記充填工程の前に、該絶縁油を内蔵する機器から絶縁油を抜き取り、絶縁油に水素供与体とアルカリ化合物を添加して処理油を調製し、該処理油を触媒充填装置に流通させながら循環させることにより有機ハロゲン化合物を分解する分解工程を有することを特徴とする、前記１）〜３）のいずれかに記載の有機ハロゲン化合物内蔵機器の無害化処理方法、
７）前記有機ハロゲン化合物の分解に際し、触媒充填装置内の処理液へマイクロ波を照射することを特徴とする、前記１）〜６）のいずれかに記載の有機ハロゲン化合物内蔵機器の無害化処理方法、
８）前記機器が、柱上変圧器、大型変圧器、安定器又は油絶縁ケーブルの油槽のいずれかであることを特徴とする、前記１）〜７）のいずれかに記載の有機ハロゲン化合物内蔵機器の無害化処理方法、
９）前記機器及びその内部の付属部材の材料が、鉄、銅、碍子、紙、木等であることを特徴とする、前記１）〜８）のいずれかに記載の有機ハロゲン化合物内蔵機器の無害化処理方法、
１０）前記有機ハロゲン化合物がＰＣＢであることを特徴とする、前記１）〜９）のいずれかに記載の有機ハロゲン化合物内蔵機器の無害化処理方法、
１１）前記水素供与体が、複素環式化合物、アミン系化合物、アルコール系化合物、ケトン系化合物及び脂環式化合物からなる群から選ばれた少なくとも一つの化合物であることを特徴とする、前記１）〜１０）のいずれかに記載の有機ハロゲン化合物内蔵機器の無害化処理方法、
１２）前記アルカリ化合物が、苛性ソーダ、苛性カリ、ナトリウムアルコキシド、カリウムアルコキシド及び水酸化カルシウムからなる群から選ばれた少なくとも一つの化合物であることを特徴とする、前記１）〜１１）のいずれかに記載の有機ハロゲン化合物内蔵機器の無害化処理方法、及び、
１３）前記触媒が、炭素結晶化合物、金属担持炭素化合物、金属担持酸化物及び金属担持複合酸化物からなる群から選ばれた少なくとも一つの化合物であることを特徴とする、前記１）〜１２）のいずれかに記載の有機ハロゲン化合物内蔵機器の無害化処理方法。
【発明の効果】
【００１３】
本発明の有機ハロゲン化合物内蔵機器の無害化処理方法によれば、機器に残留している有機ハロゲン化合物含有絶縁油が水素供与体とアルカリ化合物との混合溶液に混ざるとともに、機器本体の表面に付着、コイル等の付属部材の表面や内部に付着、或いは、紙、木片等の付属部材に染み込んだ有機ハロゲン化合物が、混合溶液中に溶解もしくは溶出されてくるので、該溶液を触媒充填装置を流通させながら循環させることにより、前記絶縁油中の有機ハロゲン化合物を短期間で洗浄することができる。また、処理時に有害なダイオキシン類が副生しないので安全である。また、常圧下でも簡易に無害化処理できるので、工場や変圧器貯蔵所などの現場で洗浄処理を実施することができる。従って、実用的な規模で大量の機器を無害化処理することが可能になる。
【００１４】
前記機器の抜油が困難な場合は、前記機器に開口部を設け、充填工程において開口部から絶縁油を抜き取りながら機器内に水素供与体とアルカリ化合物の混合溶液を充填することにより、内蔵機器を無害化処理することもできる。
【００１５】
機器内に少量の有機ハロゲン化合物を含む絶縁油が内蔵されている場合は、この中で絶縁油中の有機ハロゲン化合物の分解処理を行った後、絶縁油を抜き取り、抜油後の機器に上記の洗浄処理を施すことが出来るので、これにより、絶縁油の無害化処理から容器の無害化処理までを一貫して実施することができる。
【００１６】
機器内に高濃度の有機ハロゲン化合物を含む絶縁油が内蔵されている場合は、この絶縁油を抜き取り、別の反応槽において分解処理を行った後、抜油後の機器に上記の洗浄処理を施すことが出来るので、これにより、絶縁油の無害化処理から容器の無害化処理までを一貫して実施することができる。
【００１７】
また、前記の触媒充填装置において、触媒槽を流通する処理液にマイクロ波を照射することにより、分解を促進することができる。
【００１８】
また、無害化処理に用いる水素供与体及び／又はアルカリ化合物を選択することにより、有機ハロゲン化合物の分解を高い効率で行うことができ、さらに、それらの使用量を規定することにより、有機ハロゲン化合物の分解をより高い効率で行うことができる。また、予めアルカリ化合物を水素供与体に溶解しておいた溶液を機器へ充填することにより、有機ハロゲン化合物の初期分解速度を高めることができる。
【００１９】
また、分解に用いる触媒として、炭素結晶化合物、金属担持炭素化合物、金属担持酸化物及び金属担持複合酸化物から選ばれた少なくとも一つの化合物を用いることにより、有機ハロゲン化合物の分解を高い効率で行うことができ、処理コストを低減することができる。
【発明を実施するための最良の形態】
【００２０】
以下、本発明に係る有機ハロゲン化合物内蔵機器の無害化処理方法について、図面を参照しつつ詳細に説明する。
【００２１】
図１及び図２は、本発明の一実施形態である、有機ハロゲン化合物を含有する絶縁油が付着した機器の無害化処理フローの説明図である。図１は、低濃度の有機ハロゲン化合物を含有する絶縁油を内蔵する機器の無害化処理フロー、図２は高濃度の有機ハロゲン化合物を含有する絶縁油を内蔵する機器の無害化処理フローである。
【００２２】
図１の無害化処理フローでは、有機ハロゲン化合物を含む絶縁油（好ましくは、少量のＰＣＢを含む絶縁油）が充填された柱上変圧器等の機器内に、水素供与体とアルカリ化合物を添加して処理油を調製した後、該処理油を触媒充填装置に流通させながら循環させることによって有機ハロゲン化合物を分解する（分解工程）。分解処理後の絶縁油は、機器から抜き取る（抜油工程）。
【００２３】
図２の無害化処理フローでは、有機ハロゲン化合物を含む絶縁油（好ましくは、高濃度のＰＣＢを含む絶縁油）が充填された大型変圧器等の機器から絶縁油を抜き取り、別の反応槽で、抜き取った絶縁油に水素供与体とアルカリ化合物を添加して処理油を調製した後、該処理油を触媒充填装置に流通させながら循環させることによって有機ハロゲン化合物を分解する（分解工程）。
【００２４】
次いで、抜油後の機器内に、水素供与体とアルカリ化合物の混合溶液を充填する（充填工程）。次に、機器本体及び機器内部に存在する付属部材（コイル、絶縁紙等）に残存する有機ハロゲン化合物を、前記混合溶液に溶解もしくは溶出させ、処理液を調製する（処理液調製工程）。この処理液を、別途設置する触媒充填装置に流通させ、処理液に混ざり込んだ残留有機ハロゲン化合物を触媒に接触させることにより分解し、機器本体及び付属部材に残存する有機ハロゲン化合物が卒業基準を満たすまで循環させる（洗浄工程）。洗浄工程終了後、処理液を抜き出し、機器を解体する。解体後の部材を材料ごとに選別し、リサイクルする。前記の分解工程において、有機ハロゲン化合物の分解を促進するために、触媒部分の溶液にマイクロ波を照射してもよい。
【００２５】
上記方法が適用可能な機器としては、例えば、変圧器（柱上、大型）、油絶縁ケーブルの油槽、安定器等が挙げられる。特に、機器内部に細部に入り込んだ種々の付属部材が存在し、かつ紙や木等に有機ハロゲン化合物が染み込んでいる可能性がある、柱上変圧器の処理に適用するのが好ましい。ここで、大型変圧器とは、絶縁油容量が１００Ｌ〜３０万Ｌのものを言う。
【００２６】
本発明において、無害化処理対象である有機ハロゲン化合物を含む絶縁油には、高濃度の有機ハロゲン化合物を含む絶縁油（即ち、含有量１０，０００ｐｐｍ超の有機ハロゲン化合物を含む絶縁油や、ＰＣＢを５０質量％以上含有する有機ハロゲン化合物（ＰＣＢ１００％品からなるものを含む）からなる絶縁油）、及び、少量の有機ハロゲン化合物を含む鉱油等をベースにした絶縁油（含有量：１ｐｐｍ〜１０，０００ｐｐｍ、好ましくは１ｐｐｍ〜５００ｐｐｍ）、の双方が含まれる。絶縁油に含まれる有機ハロゲン化合物としては、ＰＣＢ、ダイオキシン類等を挙げることができ、その種類は特に限定されるものではない。
【００２７】
ＰＣＢ市販品としては、例えば、鐘淵化学（株）のＫＣ−２００（主成分：２塩化ビフェニール）、ＫＣ−３００（主成分：３塩化ビフェニール）、ＫＣ−４００（主成分：４塩化ビフェニール）、ＫＣ−５００（主成分：５塩化ビフェニール）、ＫＣ−６００（主成分：６塩化ビフェニール）や、三菱モンサイト（株）のアロクロール１２５４（５４％  Ｃｈｌｏｒｉｎｅ）等を挙げることができる。
【００２８】
次に、本発明の有機ハロゲン化合物内蔵機器の無害化処理方法を、工程ごとに順に説明する。
【００２９】
（分解工程）
図１に示す機器の無害化処理フローにおいては、絶縁油を内蔵する機器に、水素供与体とアルカリ化合物を添加して処理油を調製した後、該処理油を触媒充填装置に流通させながら循環させることにより、有機ハロゲン化合物を分解する。分解操作は後述する洗浄操作と同様の方法にて実施すればよく、分解工程では主に絶縁油が無害化される。
【００３０】
図２に示す機器の無害化処理フローにおいては、絶縁油を内蔵する機器から絶縁油を抜き取り、別の反応槽に移送する。抜き取った絶縁油に水素供与体とアルカリ化合物を添加して処理油を調製した後、該処理油を触媒充填装置に流通させながら循環させることにより、有機ハロゲン化合物を分解する。
【００３１】
（抜油工程）
次に、機器の開口部を通じて絶縁油の抜き取りを行う。絶縁油の抜き取りは、開口部から流下させてもよく、また、ポンプ等で吸い出しても良い。なお、すでに絶縁油が抜き取られている機器については、分解工程、抜油工程は省略することができる。
【００３２】
（充填工程）
次に、機器に水素供与体とアルカリ化合物の混合溶液を充填する。図３及び図４は充填工程、及び、前記溶液を触媒充填装置に流通させながら循環させることにより有機ハロゲン化合物を分解する洗浄工程の概略を示す図である。図３及び図４において、有機ハロゲン化合物を含有する絶縁油が付着した機器の本体１に、水素供与体とアルカリ化合物の混合溶液２を充填する。
【００３３】
なお、充填工程の前に、前記機器を穴あけ或いは破砕し、機器に開口部を設ける開口部形成工程を設けることもでき、開口部が設けられた機器を水素供与体とアルカリ化合物の混合溶液に浸漬させ、抜油と充填とを同時進行させてもよい。
【００３４】
（処理液調製工程）
充填開始直後より、前記混合溶液に機器本体及び機器内部に存在する付属部材に残存する有機ハロゲン化合物を溶解もしくは溶出させる。なお、充填開始から充填終了までの間に処理液調製工程が終了する場合もしくは溶出と分解を同時に進める場合は、改めて、処理液調製工程を設ける必要はない。
【００３５】
充填開始から次の洗浄工程開始までの所要時間は、特に限定されないが、処理効果を損なわない時間であれば短時間でも良く、通常、０．０１分〜６０日間の範囲で適宜選択される。拡散シミュレーションによって所要時間を求めても良い。前記の所要時間は短い方が無害化処理時間の短縮という点からは好ましいが、一昼夜ないし数週間浸漬しておくことにより、機器細部（コイル３等）に入り込んでいる絶縁油を溶液中に浸出させることが可能である。溶液２の液温は特に限定されないが、通常、０〜６０℃の範囲で選択するのが好ましい。
【００３６】
また、溶液２を調製する場合、水素供与体とアルカリ化合物の割合は任意であるが、アルカリ化合物濃度が低すぎると有機ハロゲン化合物の分解が進みにくくなり、高すぎても分解速度が平衡に達し経済性が悪くなることから、水素供与体とアルカリ化合物の合計（質量）に対するアルカリ化合物の濃度が０．１〜２０質量％となる範囲で選択するのが好ましい。水素供与体とアルカリ化合物の混合方式は、アルカリ化合物と水素供与体の添加順序、例えば同時添加、分割添加、水素供与体を機器に入れてからアルカリ化合物を添加する方法又はその逆添加などいずれの方法であってもよく、特に限定されるものではない。混合時間は、特に限定されないが処理効果を損なわない時間であれば短時間でも良く、通常５〜９０分が好ましい。また、アルカリ化合物を水素供与体に添加し高速攪拌等することにより溶解させ、予め混液にしたものを使用してもよい。
【００３７】
（洗浄工程）
次に、処理液２をポンプ１１によりマイクロ波装置１０内に設置された触媒充填装置１５へ供給する。機器には、処理液２をポンプ１１を介して触媒充填装置１５に供給するための供給ライン１２と、触媒充填装置から処理液を回収する回収ライン１３が備えられている。これにより、機器内の処理液を触媒充填装置に供給し、有機ハロゲン化合物を触媒と接触させる。
【００３８】
図３及び図４に示す触媒充填装置１５には、一部図示を省略しているが、有機ハロゲン化合物を分解しうる後述する触媒が充填された触媒充填層が形成されている。処理液２は、図中の矢印で示すようにポンプ１１、供給ライン１２を介して触媒充填装置１５に導入され、導入された処理液は、触媒充填層２０を流通し、触媒充填層流通後の処理液２は、回収ライン１３により機器本体１内へ戻される。かくして、処理液が触媒と接触することにより、処理液中の有機ハロゲン化合物は分解する。洗浄工程で有機ハロゲン化合物の分解に用いた触媒は、再生処理を施した後、他の油の処理に再使用することもでき、再生処理は公知の方法、或いは水や有機溶剤を用いて触媒を洗浄する方法等を採用すればよい。
【００３９】
処理液２が触媒充填装置１５を流通する際に、マイクロ波装置１０からマイクロ波を処理液２に照射することもでき、連続的又は断続的にマイクロ波を照射することによって、有機ハロゲン化合物の分解を促進することができる。この場合、マイクロ波の出力、周波数は、設定する洗浄条件に応じて適宜決定することができるが、周波数１〜３００ＧＨｚのマイクロ波を電気的に制御しながら１０Ｗ〜２０ｋＷの範囲で照射するのが好ましい。
【００４０】
処理液を触媒充填装置に流通させながら循環させる状態で、しばらく放置するが、適宜処理液中の有機ハロゲン化合物濃度を測定することで、反応の進行状況を確認できる。前記循環は、機器本体及び付属部材に残存する有機ハロゲン化合物が、それぞれ所定の卒業基準を満たすまで実施する。処理液を洗浄する際の処理液の液温は、常温以上６０℃以下が好ましい。常温以下ではＰＣＢの分解が遅いため処理時間が長くなり、６０℃を超えると副生物が生成しやすくなる。
【００４１】
測定の結果、有機ハロゲン化合物濃度が所定の卒業基準値以下の場合は処理を終了する。一方、有機ハロゲン化合物濃度が所定の卒業基準値を超える場合は処理操作を継続する。洗浄処理終了後、機器から処理液を抜き出し、機器を解体する。解体後の機器は、鉄製の機器本体、鉄製のコイル、銅、絶縁紙等の紙、木等に分別し、それぞれリサイクルする。
【００４２】
本発明において油に添加する「水素供与体」としては、例えば、複素環式化合物、アミン系化合物、アルコール系化合物、ケトン系化合物、及び脂環式化合物等の有機系水素供与体等が挙げられる。これらの化合物の中でも、安全性の観点より、アルコール系化合物、ケトン系化合物、脂環式化合物が好ましく、特に、安全性が高く、低コストで入手可能であり、しかも反応制御が容易で、有機ハロゲン化合物分解効率が高い点より、アルコール系化合物が好ましい。これらの水素供与体は、単独で又は二種以上を任意に組合わせて使用することができる。
【００４３】
ここで、前記のアルコール系化合物としては、脂肪族アルコール、芳香族アルコールのいずれであってもよく、直鎖又は分岐鎖を有する一価アルコールや多価アルコールを用いることができる。アルコール系化合物の炭素数は１〜１２の範囲が好ましく、より好ましくは２〜９の範囲、さらに好ましくは３〜６の範囲である。前記アルコール系化合物の具体例としては、例えば、メタノール、エタノール、１−プロパノール、２−プロパノール、ｎ−ブタノール、ｓ−ブタノール、ｔ−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、１−オクタノール、２−オクタノール等の脂肪族アルコール、シクロプロピルアルコール、シクロブチルアルコール、シクロペンチルアルコール、シクロヘキシルアルコール、シクロヘプチルアルコール、シクロオクチルアルコール等の脂環式アルコール、エチレングリコール、プロピレングリコール、デカリンジオール等の多価アルコール等が挙げられる。これらの中でも、分解効率の点から２−プロパノール、シクロヘキサノールが特に好ましい。
【００４４】
また、アルカリ化合物としては、有機ハロゲン化合物の脱ハロゲン化反応を促進しうるものであれば限定されないが、脱ハロゲン化効率を高める観点より、苛性ソーダ、苛性カリ、ナトリウムアルコキシド、カリウムアルコキシド、水酸化カルシウム等が好ましく用いられる。中でも、コストやハンドリング性の観点より、苛性ソーダ、苛性カリが特に好ましい。アルカリ化合物は、単独で又は二種以上を任意に組合わせて使用することができる。アルカリ化合物は有機ハロゲン化合物に対し、１．０〜１．５倍当量用いるのがよい。
【００４５】
本発明の無害化処理方法においては、機器内に付着した絶縁油を水素供与体とアルカリ化合物の混合溶液へ混ぜ合わせるために、振とうによる外部からの攪拌、攪拌子による内部からの攪拌、超音波によるミクロ的な攪拌など、いずれの方法を用いてもよい。振とうによる外部からの攪拌としては、例えば、柱上変圧器などの容器を、振動式攪拌機、振動台、振とう機等を用いて加振する方法（例えば、垂直及び／又は水平方向へ平行振動させる方法、回旋振動させる方法など）などが挙げられる。攪拌子による内部からの攪拌としては、例えば、攪拌羽根やマグネチックスターラー等の攪拌子を用いて処理液を攪拌する方法などが挙げられる。攪拌する場合は、連続攪拌、間欠攪拌のいずれの方法を採用してもよい。
【００４６】
本発明の触媒充填装置に充填する触媒としては、有機ハロゲン化合物（特に、ＰＣＢ）の脱ハロゲン化反応を促進しうるものであれば限定されないが、無機系触媒は触媒寿命が長く、かつ、アルカリ化合物存在下でも安定であるため、有機系触媒よりも好ましい。無機系触媒の好ましい具体例としては、脱ハロゲン化効率を高める観点より、複合金属酸化物、炭素結晶化合物、金属担持炭素化合物、金属担持酸化物、金属担持複合金属酸化物及び金属酸化物等が好ましく用いられる。中でも、アルカリ性雰囲気で安定性が高い点より、炭素結晶化合物、金属担持炭素化合物、金属担持酸化物及び金属担持複合酸化物が好ましく、特に金属担持炭素化合物が好ましい。これらの触媒は、単独で又は二種以上を任意に組合せて使用することができる。また、上記の方法で再生された再生触媒を使用してもよい。
【００４７】
ここで、前記の炭素結晶化合物としては、グラファイト、カーボンナノチューブ（金属を含むものと含まないものの双方が含まれる）、フラーレン等が挙げられる。
【００４８】
また前記の金属担持炭素化合物としては、金属を担持した炭素化合物であればよく、その金属担持量は、触媒全量に対して０．１〜２０ｗｔ％、より好ましくは０．１〜１０ｗｔ％である。担持される金属としては、例えば、鉄、銀、白金、ルテニウム、パラジウム、ロジウム等が挙げられ、脱ハロゲン化効率を高める観点より、パラジウム、ルテニウム、白金が好ましい。金属担持炭素化合物の具体例としては、例えば、Ｐｄ／Ｃ（パラジウム担持炭素化合物）、Ｒｕ／Ｃ（ルテニウム担持炭素化合物）、Ｐｔ／Ｃ（白金担持炭素化合物）等が挙げられる。
【００４９】
前記の金属担持酸化物及び金属担持複合酸化物は、金属を担持した酸化物、複合酸化物であれば限定されないが、その金属担持量及び金属の種類は、上記の金属担持炭素化合物と同様である。金属担持酸化物の具体例としては  例えば、Ｐｄ／ＴｉＯ２（パラジウム担持２酸化チタン）等が挙げられる。金属担持複合酸化物の具体例としては、例えば、Ｐｄ／ＳｉＯ２・Ａｌ２Ｏ３（パラジウム担持シリカ−アルミナ）等が挙げられる。
【００５０】
なお、アルカリ化合物存在下で安定なものであれば、ポリエチレン等の樹脂に金属を担持した触媒も使用することができる
【００５１】
触媒の形状は、粒状のものでもハニカム状のものでもよい。粒状の場合はカラムの上下をメッシュ等で固定する必要があり、その場合の粒子径は７５μｍ〜１０ｍｍが好ましい。１０ｍｍを超える場合は比表面積が不足し、７５μｍ未満の場合はメッシュが詰まり差圧が高くなる。より好ましくは１５０μｍ〜５ｍｍが望ましい。触媒粒子は、できるだけ粒子径のそろったものがよい。
【００５２】
本発明の無害化処理方法によれば、機器本体に付着する有機ハロゲン化合物や、付属部材に残存する有機ハロゲン化合物も分解されるので、機器を解体処理することにより、各部材を再利用することもできる。
【００５３】
また本発明により、抜油後の機器の効率的な無害化処理が可能となる。特に、柱上変圧器等の機器に保存又は充填された絶縁油の無害化処理工程の後、引き続き機器中に残留した絶縁油を無害化処理する際に、機器内に有機ハロゲン化合物が染み込んだ絶縁紙や木片等が存在する場合にも、染み込んだ有機ハロゲン化合物が溶液中に溶出するので、機器を丸ごと無害化処理できる。
【実施例】
【００５４】
次に、本発明を実施例により具体的に説明するが、本発明は以下の実施例にのみ限定されるものではない。
【００５５】
（拡散シミュレーションによる処理時間の設定）
下記拡散モデルから誘導される近似式（１）式を用いて、処理時間を決定した。なお、液処理８日間中は固体内ＰＣＢ濃度２０ｐｐｍ変化なしと想定し、次の９日間で液中のＰＣＢ濃度０ｐｐｍと仮定し、液温は平均２５〜４０℃と仮定し、固体内濃度が０．５ｐｐｍ以下になる日数を算出した。その結果を表１に示す。液温平均３０℃と仮定し容器の無害化処理所要時間１４日間を設定した。
【００５６】
【数１】
2008194660.tif 000003
【００５７】
【表１】
2008194660.tif 000004
【００５８】
［実施例１］
（ＰＣＢ分解処理）
ＰＣＢ２４．０７ｐｐｍを含む４５Ｌ容柱上変圧器に、水素供与体としてイソプロピルアルコール９Ｌ（対試験油２０ｖｏｌ％）、及びアルカリとしてＫＯＨ４７３．６８ｇ（対絶縁油１％）を添加し、攪拌した。
【００５９】
一方、粒状活性炭（商品名：ダイヤホープ００８）にパラジウム（Ｐｄ）を５％担持させた触媒（平均粒径１ｍｍ程度）を用意し、７０℃で４８時間乾燥した。この触媒２ｋｇを触媒充填装置に入れ、上下を１００メッシュの網で挟み込み、触媒を充填した。柱上変圧器の外側に、ＥＦＮＩＣ（株）製ギヤポンプ（ＭｏｄｅｌＧＰＥ−０３１、１２Ｖ  ＤＣ）を、合計２個取り付け、各ポンプに内径６ｍｍのテフロン（登録商標）チューブを取り付け、各ポンプ共に、それぞれ片方の端を処理液底部に浸漬し、他の端を触媒充填装置の上部に取り付けた。
【００６０】
柱上変圧器から処理油をポンプで抜き出し、触媒充填装置の触媒層に、８００ｍｌ／分の速度で連続的に通液しながら、触媒充填装置と柱上変圧器の間を８時間循環させた。その間、周波数２．５４ＧＨｚ、最大出力６５０Ｗのマイクロ波を電気的に制御しながら照射し、反応温度を６０℃に維持した。その後１６時間はマイクロ波照射を停止し、常温にて液を循環させた。
【００６１】
定期的にサンプリングしながら、処理液中のＰＣＢ濃度が目標値（０．５ｐｐｍ）以下になるまで、前記操作を繰り返し行った。なお、サンプリングした処理油中のＰＣＢ濃度は、ＳＧＥ  ＨＴ８（島津ＧＬＣ  Ｌｔｄ．製）をキャピラリーカラムとするヒューレットパッカード製のガスクロマトグラフィー質量分析計ＨＰ６８９０（以下、「ＧＣ−ＭＳ」）を用いて分析した。
【００６２】
（容器洗浄処理）
マイクロ波出力最大６５０Ｗ、循環ポンプ循環量０．８Ｌ／ｈ、処理槽容量２０Ｌの処理装置を、柱上変圧器外部に設置し、柱上変圧器より分解済絶縁油を抜き取り、新たに洗浄薬液（ＩＰＡ３５Ｌ（コイルが浸る量３０Ｌ＋触媒層吸収量５Ｌ）とＫＯＨ４２ｇ（残油量に対し約１％）の混合溶液）に入れ替えた。
【００６３】
柱上変圧器内の薬液を、マイクロ波を照射させながらパラジウムを担持した活性炭触媒（２ｋｇ）層を通過させ、循環ポンプにて薬液を流量８００ｍｌ／分にて循環させ、容器洗浄処理を行った。洗浄処理においては処理温度を６０℃に保ちながらマイクロ波を８時間照射させながら液を循環させ、その後１６時間常温にて薬液を循環させた。このような状態にて１４日間洗浄処理を行った。洗浄薬液にて処理を行っている期間中、１日１回ＰＣＢ濃度を測定し、ＰＣＢ濃度が基準値（０．５ｐｐｍ）以下に保たれ、かつ減少していくことを確認した。柱上変圧器内のコイルを吊り上げ、薬液が垂れなくなるまで液切りをした。
【００６４】
（卒業判定）
柱上変圧器内壁部を脱脂綿またはガラスウール（２０ｇ）を用いて１００ｃｍ２の範囲を拭取り、拭取り試験用試料とした（鉄（本体））。
【００６５】
コイル部を分解し、材料別に鉄、銅、碍子、紙、木に分別をした。
【００６６】
鉄、銅、碍子については、有機溶剤（トルエン、ヘキサン、または第４石油類に属した有機溶剤）を用い、金属製容器に１回の液量を２０００ｍｌとし洗浄した。
【００６７】
各材料毎に、液に浸漬し振とう洗浄を行った。鉄（コイル他）は試料１つに対して５〜１０秒、銅および碍子等については洗浄容器に複数の試料を入れ１０秒間振とう洗浄を実施し、分析試料とした（平成４年厚生省告示第１９２号、改正平成１０年８月第２２２号；別表第２の第１に準拠）。
【００６８】
紙材料は全ての部分を１０ｃｍ以下に裁断し、縮分にて試料５０ｇを採取した。５０ｇ採取した試料を３ｃｍ以下に裁断し、分析試料とした。
【００６９】
木材料は全ての部分を５ｃｍ以下に裁断し、縮分にて試料５０ｇを採取した。５０ｇ採取した試料を２ｍｍ目のふるいを通過した大きさに裁断し、分析試料とした。
【００７０】
本体の拭取り試料、及び鉄、銅、碍子の有機溶剤抽出液については、ＰＣＢ濃度分析を行い、紙、木材については、溶出試験（平成１６年環境省告示第３１号に基づく）を行った。これらの分析結果を表２にまとめて示す。
【００７１】
【表２】
2008194660.tif 000005
【００７２】
表２から明らかなように、柱上変圧器本体及び付属部材は、全て卒業基準を満たしていた。
【００７３】
容器洗浄処理に使用した薬液（処理液）中のＰＣＢ濃度は、処理開始から処理終了まで、表３に示すように０．５ｍｇ／ｋｇ以下で推移した。また、処理終了後の液中のダイオキシン類の濃度は、表４に示すが、ダイオキシン等の生成はなかった。なお、ダイオキシン類の測定法はＪＩＳ  Ｋ  ０３１１に準拠した。
【００７４】
【表３】
2008194660.tif 000006
【００７５】
【表４】
2008194660.tif 000007
【００７６】
［実施例２］
絶縁油中にＰＣＢ１７ｐｐｍを含む４５Ｌ容柱上変圧器から、絶縁油（１種２号）をポンプで抜き出し、各部材のＰＣＢ含有量を、実施例１の卒業判定と同様の方法にて確認した。
続いて、マイクロ波出力最大６５０Ｗ、循環ポンプ循環量４８Ｌ／ｈ、処理槽容量２０Ｌの処理装置を、柱上変圧器外部に設置し、絶縁油を抜き出した柱上変圧器に、洗浄薬液（ＩＰＡ３５Ｌ（コイルが浸る量３０Ｌ＋触媒層吸収量５Ｌ）とＫＯＨ４２ｇ（残油量に対し約１％）の混合溶液）を加えた。
【００７７】
柱上変圧器内の薬液を、マイクロ波を照射させながらパラジウムを担持した活性炭触媒（２ｋｇ）層を通過させ、循環ポンプにて薬液を流量８００ｍｌ／分にて循環させ、容器洗浄処理を行った。洗浄処理においては処理温度を６０℃に保ちながらマイクロ波を８時間照射させながら液を循環させ、その後１６時間常温にて薬液を循環させた。このような状態にて２１日間洗浄処理を行った。洗浄薬液にて処理を行っている期間中、処理日数０日から４日までは、１日１回ＰＣＢ濃度を測定し、４日以降は８日目、１２日目、１６日目、２１日目にＰＣＢ濃度を測定し、ＰＣＢ濃度が基準値（０．５ｐｐｍ）以下に保たれ、かつ減少していくことを確認した。柱上変圧器内のコイルを吊り上げ、薬液が垂れなくなるまで液切りをしたのち、以下に記述する卒業判定方法にて、柱上変圧器内壁、コイル部の鉄、銅、碍子、紙、木に残留するＰＣＢ量を分析した。
【００７８】
（卒業判定）
柱上変圧器内壁部を有機溶剤（トルエン、ヘキサン、または第４石油類に属した有機溶剤）を浸した脱脂綿（１．５ｇ）またはガラスウール（２０ｇ）を用いて５００ｃｍ２の範囲を拭取り、拭取り試験用試料とした（鉄（本体））。
【００７９】
コイル部を分解し、材料別に鉄、銅、碍子、紙、木に分別をした。
【００８０】
鉄（コイル部）については、巻いてある状態のものを広げ表面部を有機溶剤（トルエン、ヘキサン、または第４石油類に属した有機溶剤）を浸した脱脂綿（１．５ｇ）またはガラスウール（２０ｇ）を用いて約５００ｃｍ２の範囲を拭取り、拭取り試験用試料とした。  
【００８１】
銅、碍子については、有機溶剤（トルエン、ヘキサン、または第４石油類に属した有機溶剤）を用い、金属製容器に１回の液量を洗浄する部材重量に対して等量とし洗浄した。
【００８２】
各材料毎に、液に浸漬し超音波洗浄を行った。銅、碍子は試料１つに対して洗浄容器に試料を入れ６時間超音波洗浄を実施し、分析試料とした（平成４年厚生省告示第１９２号、改正平成１０年８月第２２２号；別表第２の第１に準拠）。
【００８３】
紙材料は、コイルの外側、中、内側の部分を採取し１０ｃｍ以下に裁断し、縮分にて試料１６０ｇを採取した。１６０ｇ採取した試料を３ｃｍ以下に裁断し、分析試料とした。
【００８４】
木材料はコイルの中間部の木材料およびコイル上部にあるプレスボードをそれぞれ採取し試料ととした。
【００８５】
コイルの中間部の木材は全ての部分を５ｃｍ以下に裁断し、縮分にて試料１６０ｇを採取した。５０ｇ採取した試料を２ｍｍ目のふるいを通過した大きさに裁断し、分析試料とした。
【００８６】
コイル上部のプレスボードは５ｃｍ以下に裁断し、縮分にて試料１６０ｇを採取した。１５０ｇ採取した試料を２ｍｍ目のふるいを通過した大きさに裁断し、分析試料とした。
【００８７】
本体の拭取り試料、及び鉄、銅、碍子の有機溶剤抽出液については、ＰＣＢ濃度分析を行い、紙、木材については、溶出試験（平成１６年環境省告示第３１号に基づく）を行った。これらの分析結果を表５にまとめて示す。
【００８８】
【表５】
2008194660.tif 000008
【００８９】
表５から明らかなように、柱上変圧器本体及び付属部材は、全て卒業基準を満たしてい
た。
【００９０】
容器洗浄処理に使用した薬液（処理液）中のＰＣＢ濃度は、処理開始から処理終了まで
表６に示すように０．５ｍｇ／ｋｇ以下で推移した。また、処理終了後の液中のダイオキ
シン類の濃度は、表７に示すが、ダイオキシン等の生成はなかった。
【００９１】
【表６】
2008194660.tif 000009
【００９２】
【表７】
2008194660.tif 000010
【図面の簡単な説明】
【００９３】
【図１】本発明に係る有機ハロゲン化合物内蔵機器の無害化処理フローの説明図である。
【図２】本発明に係る有機ハロゲン化合物内蔵機器の無害化処理フローの説明図である。
【図３】本発明に係る有機ハロゲン化合物内蔵機器の無害化処理方法の一実施形態を示す概略図である。
【図４】本発明に係る有機ハロゲン化合物内蔵機器の無害化処理方法の一実施形態を示す概略図である。
【符号の説明】
【００９４】
１  機器本体
２  水素供与体とアルカリ化合物の混合溶液、処理液
３  コイル（鉄心）
１０  マイクロ波装置
１１  ポンプ
１２  供給ライン
１３  回収ライン
１５  触媒充填装置
２０  触媒層
【図１】
2008194660.tif 000011
【図２】
2008194660.tif 000012
【図３】
2008194660.tif 000013
【図４】
2008194660.tif 000014
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
有機ハロゲン化合物を含む絶縁油を内蔵する機器から、該絶縁油が抜き出された抜油後の機器内に、水素供与体とアルカリ化合物の混合溶液を充填する充填工程と、
該処理液を触媒充填装置に流通させながら循環させることにより機器に残存する有機ハロゲン化合物を溶出分解し、該循環を、機器及びその内部の付属部材に残存する有機ハロゲン化合物が卒業基準を満たすまで実施する洗浄工程と、を有し、
洗浄工程終了後に処理液を抜き出し、機器を解体することを特徴とする有機ハロゲン化合物内蔵機器の無害化処理方法。
【請求項２】
前記充填工程の後に、機器に残存する有機ハロゲン化合物を、前記混合溶液に溶解もしくは溶出させる処理液調製工程を有することを特徴とする、請求項１に記載の有機ハロゲン化合物内蔵機器の無害化処理方法。
【請求項３】
前記洗浄工程における処理液温度が常温以上６０℃以下である、請求項１又は２に記載の有機ハロゲン化合物内蔵機器の無害化処理方法。
【請求項４】
前記充填工程の前に、前記機器に開口部を設ける開口部形成工程を有し、充填工程に替えて前記開口部から絶縁油を抜き取りながら機器内に水素供与体とアルカリ化合物の混合溶液を充填することを特徴とする、請求項１〜３のいずれかに記載の有機ハロゲン化合物内蔵機器の無害化処理方法。
【請求項５】
前記絶縁油が、少量の有機ハロゲン化合物を含む絶縁油であり、
前記充填工程の前に、該絶縁油を内蔵する機器内に、水素供与体とアルカリ化合物を添加して処理油を調製し、該処理油を触媒充填装置に流通させながら循環させることにより有機ハロゲン化合物を分解する分解工程と、前記機器から処理油を抜き取る抜油工程を有することを特徴とする、請求項１〜３のいずれかに記載の有機ハロゲン化合物内蔵機器の無害化処理方法。
【請求項６】
前記絶縁油が、高濃度の有機ハロゲン化合物を含む絶縁油であることを特徴とする、請求項１〜３のいずれかに記載の有機ハロゲン化合物内蔵機器の無害化処理方法。
【請求項７】
前記有機ハロゲン化合物の分解に際し、触媒充填装置内の処理液へマイクロ波を照射することを特徴とする、請求項１〜６のいずれかに記載の有機ハロゲン化合物内蔵機器の無害化処理方法。
【請求項８】
前記機器が、柱上変圧器、大型変圧器、安定器又は油絶縁ケーブルの油槽のいずれかであることを特徴とする、請求項１〜７のいずれかに記載の有機ハロゲン化合物内蔵機器の無害化処理方法。
【請求項９】
前記機器及びその内部の付属部材の材料が、鉄、銅、碍子、紙又は木であることを特徴とする、請求項１〜８のいずれかに記載の有機ハロゲン化合物内蔵機器の無害化処理方法。
【請求項１０】
前記有機ハロゲン化合物がＰＣＢであることを特徴とする、請求項１〜９のいずれかに記載の有機ハロゲン化合物内蔵機器の無害化処理方法。
【請求項１１】
前記水素供与体が、複素環式化合物、アミン系化合物、アルコール系化合物、ケトン系化合物及び脂環式化合物からなる群から選ばれた少なくとも一つの化合物であることを特徴とする、請求項１〜１０のいずれかに記載の有機ハロゲン化合物内蔵機器の無害化処理方法。
【請求項１２】
前記アルカリ化合物が、苛性ソーダ、苛性カリ、ナトリウムアルコキシド、カリウムアルコキシド及び水酸化カルシウムからなる群から選ばれた少なくとも一つの化合物であることを特徴とする、請求項１〜１１のいずれかに記載の有機ハロゲン化合物内蔵機器の無害化処理方法。
【請求項１３】
前記触媒が、炭素結晶化合物、金属担持炭素化合物、金属担持酸化物及び金属担持複合酸化物からなる群から選ばれた少なくとも一つの化合物であることを特徴とする、請求項１〜１２のいずれかに記載の有機ハロゲン化合物内蔵機器の無害化処理方法。
【手続補正２】
【補正対象書類名】明細書
【補正対象項目名】００１２
【補正方法】変更
【補正の内容】
【００１２】
すなわち、本発明は以下のとおりである。
１）有機ハロゲン化合物を含む絶縁油を内蔵する機器から、該絶縁油が抜き出された抜油後の機器内に、水素供与体とアルカリ化合物の混合溶液を充填する充填工程と、
該処理液を触媒充填装置に流通させながら循環させることにより機器に残存する有機ハロゲン化合物を溶出分解し、該循環を、機器及びその内部の付属部材に残存する有機ハロゲン化合物が卒業基準を満たすまで実施する洗浄工程と、を有し、
洗浄工程終了後に処理液を抜き出し、機器を解体することを特徴とする有機ハロゲン化合物内蔵機器の無害化処理方法、
２）前記充填工程の後に、機器に残存する有機ハロゲン化合物を、前記混合溶液に溶解もしくは溶出させる処理液調製工程を有することを特徴とする、前記１）に記載の有機ハロゲン化合物内蔵機器の無害化処理方法、
３）前記洗浄工程における処理液温度が常温以上６０℃以下である、前記１）又は２）に記載の有機ハロゲン化合物内蔵機器の無害化処理方法、
４）前記充填工程の前に、前記機器に開口部を設ける開口部形成工程を有し、充填工程に替えて前記開口部から絶縁油を抜き取りながら機器内に水素供与体とアルカリ化合物の混合溶液を充填することを特徴とする、前記１）〜３）のいずれかに記載の有機ハロゲン化合物内蔵機器の無害化処理方法、
５）前記絶縁油が、少量の有機ハロゲン化合物を含む絶縁油であり、
前記充填工程の前に、該絶縁油を内蔵する機器内に、水素供与体とアルカリ化合物を添加して処理油を調製し、該処理油を触媒充填装置に流通させながら循環させることにより有機ハロゲン化合物を分解する分解工程と、前記機器から処理油を抜き取る抜油工程を有することを特徴とする、前記１）〜３）のいずれかに記載の有機ハロゲン化合物内蔵機器の無害化処理方法、
６）前記絶縁油が、高濃度の有機ハロゲン化合物を含む絶縁油であることを特徴とする、前記１）〜３）のいずれかに記載の有機ハロゲン化合物内蔵機器の無害化処理方法、
７）前記有機ハロゲン化合物の分解に際し、触媒充填装置内の処理液へマイクロ波を照射することを特徴とする、前記１）〜６）のいずれかに記載の有機ハロゲン化合物内蔵機器の無害化処理方法、
８）前記機器が、柱上変圧器、大型変圧器、安定器又は油絶縁ケーブルの油槽のいずれかであることを特徴とする、前記１）〜７）のいずれかに記載の有機ハロゲン化合物内蔵機器の無害化処理方法、
９）前記機器及びその内部の付属部材の材料が、鉄、銅、碍子、紙又は木であることを特徴とする、前記１）〜８）のいずれかに記載の有機ハロゲン化合物内蔵機器の無害化処理方法、
１０）前記有機ハロゲン化合物がＰＣＢであることを特徴とする、前記１）〜９）のいずれかに記載の有機ハロゲン化合物内蔵機器の無害化処理方法、
１１）前記水素供与体が、複素環式化合物、アミン系化合物、アルコール系化合物、ケトン系化合物及び脂環式化合物からなる群から選ばれた少なくとも一つの化合物であることを特徴とする、前記１）〜１０）のいずれかに記載の有機ハロゲン化合物内蔵機器の無害化処理方法、
１２）前記アルカリ化合物が、苛性ソーダ、苛性カリ、ナトリウムアルコキシド、カリウムアルコキシド及び水酸化カルシウムからなる群から選ばれた少なくとも一つの化合物であることを特徴とする、前記１）〜１１）のいずれかに記載の有機ハロゲン化合物内蔵機器の無害化処理方法、及び、
１３）前記触媒が、炭素結晶化合物、金属担持炭素化合物、金属担持酸化物及び金属担持複合酸化物からなる群から選ばれた少なくとも一つの化合物であることを特徴とする、前記１）〜１２）のいずれかに記載の有機ハロゲン化合物内蔵機器の無害化処理方法。
【手続補正３】
【補正対象書類名】明細書
【補正対象項目名】００３３
【補正方法】変更
【補正の内容】
【００３３】
なお、充填工程の前に、前記機器を穴あけ或いは破砕し、機器に開口部を設ける開口部形成工程を設けることもでき、開口部が設けられた機器を水素供与体とアルカリ化合物の混合溶液に浸漬させ、抜油と充填とを同時進行させて充填工程に替えてもよい。
【手続補正４】
【補正対象書類名】明細書
【補正対象項目名】００６４
【補正方法】変更
【補正の内容】
【００６４】
（卒業判定）
柱上変圧器内壁部を脱脂綿またはガラスウール（２０ｇ）を用いて５００ｃｍ２の範囲を拭取り、拭取り試験用試料とした（鉄（本体））。
【手続補正５】
【補正対象書類名】明細書
【補正対象項目名】００６７
【補正方法】変更
【補正の内容】
【００６７】
各材料毎に、液に浸漬し振とう洗浄を行った。鉄（コイル他）は試料１つに対して５〜１０秒、銅および碍子等については洗浄容器に複数の試料を入れ１０秒間振とう洗浄を実施し、分析試料とした（平成４年厚生省告示第１９２号、改正平成１０年８月第２２２号；別表第２の第三に準拠）。
【手続補正６】
【補正対象書類名】明細書
【補正対象項目名】００８２
【補正方法】変更
【補正の内容】
【００８２】
各材料毎に、液に浸漬し超音波洗浄を行った。銅、碍子は試料１つに対して洗浄容器に試料を入れ６時間超音波洗浄を実施し、分析試料とした（平成４年厚生省告示第１９２号、改正平成１０年８月第２２２号；別表第２の第三に準拠）。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
有機ハロゲン化合物を含む絶縁油を内蔵する機器から、該絶縁油が抜き出された抜油後の機器内に、イソプロピルアルコールとアルカリ化合物の混合溶液を充填する充填工程と、
機器内に残存する有機ハロゲン化合物を前記混合溶液に溶解もしくは溶出させた処理液を触媒充填装置に流通させながら循環させることにより機器及びその内部の付属部材に残存する有機ハロゲン化合物を溶出分解し、該循環を、機器及びその内部の付属部材に残存する有機ハロゲン化合物が卒業基準を満たすまで実施する洗浄工程と、を有し、
洗浄工程終了後に処理液を抜き出し、機器を解体することを特徴とする有機ハロゲン化合物内蔵機器の無害化処理方法。
【請求項２】
前記充填工程の後に、機器に残存する有機ハロゲン化合物を、前記混合溶液に溶解もしくは溶出させる処理液調製工程を有することを特徴とする、請求項１に記載の有機ハロゲン化合物内蔵機器の無害化処理方法。
【請求項３】
前記洗浄工程における処理液温度が常温以上６０℃以下であることを特徴とする、請求項１又は２に記載の有機ハロゲン化合物内蔵機器の無害化処理方法。
【請求項４】
前記充填工程の前に、前記機器に開口部を設ける開口部形成工程を有し、充填工程に替えて前記開口部から絶縁油を抜き取りながら機器内にイソプロピルアルコールとアルカリ化合物の混合溶液を充填することを特徴とする、請求項１〜３のいずれかに記載の有機ハロゲン化合物内蔵機器の無害化処理方法。
【請求項５】
前記絶縁油が、少量の有機ハロゲン化合物を含む絶縁油であり、
前記充填工程の前に、該絶縁油を内蔵する機器内に、イソプロピルアルコールとアルカリ化合物を添加して処理油を調製し、該処理油を触媒充填装置に流通させながら循環させることにより有機ハロゲン化合物を分解する分解工程と、前記機器から処理油を抜き取る抜油工程を有することを特徴とする、請求項１〜３のいずれかに記載の有機ハロゲン化合物内蔵機器の無害化処理方法。
【請求項６】
前記絶縁油が、高濃度の有機ハロゲン化合物を含む絶縁油であることを特徴とする、請求項１〜３のいずれかに記載の有機ハロゲン化合物内蔵機器の無害化処理方法。
【請求項７】
前記有機ハロゲン化合物の分解に際し、触媒充填装置内の処理液へマイクロ波を照射することを特徴とする、請求項１〜６のいずれかに記載の有機ハロゲン化合物内蔵機器の無害化処理方法。
【請求項８】
前記機器が、柱上変圧器、大型変圧器、安定器又は油絶縁ケーブルの油槽のいずれかであることを特徴とする、請求項１〜７のいずれかに記載の有機ハロゲン化合物内蔵機器の無害化処理方法。
【請求項９】
前記機器及びその内部の付属部材の材料が、鉄、銅、碍子、紙又は木であることを特徴とする、請求項１〜８のいずれかに記載の有機ハロゲン化合物内蔵機器の無害化処理方法。
【請求項１０】
前記有機ハロゲン化合物がＰＣＢであることを特徴とする、請求項１〜９のいずれかに記載の有機ハロゲン化合物内蔵機器の無害化処理方法。
【請求項１１】
前記アルカリ化合物が、苛性ソーダ、苛性カリ、ナトリウムアルコキシド、カリウムアルコキシド及び水酸化カルシウムからなる群から選ばれた少なくとも一つの化合物であることを特徴とする、請求項１〜１０のいずれかに記載の有機ハロゲン化合物内蔵機器の無害化処理方法。
【請求項１２】
前記触媒が、炭素結晶化合物、金属担持炭素化合物、金属担持酸化物及び金属担持複合酸化物からなる群から選ばれた少なくとも一つの化合物であることを特徴とする、請求項１〜１１のいずれかに記載の有機ハロゲン化合物内蔵機器の無害化処理方法。
【手続補正２】
【補正対象書類名】明細書
【補正対象項目名】００１２
【補正方法】変更
【補正の内容】
【００１２】
すなわち、本発明は以下のとおりである。
１）有機ハロゲン化合物を含む絶縁油を内蔵する機器から、該絶縁油が抜き出された抜油後の機器内に、イソプロピルアルコールとアルカリ化合物の混合溶液を充填する充填工程と、
機器内に残存する有機ハロゲン化合物を前記混合溶液に溶解もしくは溶出させた処理液を触媒充填装置に流通させながら循環させることにより機器及びその内部の付属部材に残存する有機ハロゲン化合物を溶出分解し、該循環を、機器及びその内部の付属部材に残存する有機ハロゲン化合物が卒業基準を満たすまで実施する洗浄工程と、を有し、
洗浄工程終了後に処理液を抜き出し、機器を解体することを特徴とする有機ハロゲン化合物内蔵機器の無害化処理方法、
２）前記充填工程の後に、機器に残存する有機ハロゲン化合物を、前記混合溶液に溶解もしくは溶出させる処理液調製工程を有することを特徴とする、前記１）に記載の有機ハロゲン化合物内蔵機器の無害化処理方法、
３）前記洗浄工程における処理液温度が常温以上６０℃以下であることを特徴とする、前記１）又は２）に記載の有機ハロゲン化合物内蔵機器の無害化処理方法、
４）前記充填工程の前に、前記機器に開口部を設ける開口部形成工程を有し、充填工程に替えて前記開口部から絶縁油を抜き取りながら機器内にイソプロピルアルコールとアルカリ化合物の混合溶液を充填することを特徴とする、前記１）〜３）のいずれかに記載の有機ハロゲン化合物内蔵機器の無害化処理方法、
５）前記絶縁油が、少量の有機ハロゲン化合物を含む絶縁油であり、
前記充填工程の前に、該絶縁油を内蔵する機器内に、イソプロピルアルコールとアルカリ化合物を添加して処理油を調製し、該処理油を触媒充填装置に流通させながら循環させることにより有機ハロゲン化合物を分解する分解工程と、前記機器から処理油を抜き取る抜油工程を有することを特徴とする、前記１）〜３）のいずれかに記載の有機ハロゲン化合物内蔵機器の無害化処理方法、
６）前記絶縁油が、高濃度の有機ハロゲン化合物を含む絶縁油であることを特徴とする、前記１）〜３）のいずれかに記載の有機ハロゲン化合物内蔵機器の無害化処理方法、
７）前記有機ハロゲン化合物の分解に際し、触媒充填装置内の処理液へマイクロ波を照射することを特徴とする、前記１）〜６）のいずれかに記載の有機ハロゲン化合物内蔵機器の無害化処理方法、
８）前記機器が、柱上変圧器、大型変圧器、安定器又は油絶縁ケーブルの油槽のいずれかであることを特徴とする、前記１）〜７）のいずれかに記載の有機ハロゲン化合物内蔵機器の無害化処理方法、
９）前記機器及びその内部の付属部材の材料が、鉄、銅、碍子、紙又は木であることを特徴とする、前記１）〜８）のいずれかに記載の有機ハロゲン化合物内蔵機器の無害化処理方法、
１０）前記有機ハロゲン化合物がＰＣＢであることを特徴とする、前記１）〜９）のいずれかに記載の有機ハロゲン化合物内蔵機器の無害化処理方法、
１１）前記アルカリ化合物が、苛性ソーダ、苛性カリ、ナトリウムアルコキシド、カリウムアルコキシド及び水酸化カルシウムからなる群から選ばれた少なくとも一つの化合物であることを特徴とする、前記１）〜１０）のいずれかに記載の有機ハロゲン化合物内蔵機器の無害化処理方法、及び、
１２）前記触媒が、炭素結晶化合物、金属担持炭素化合物、金属担持酸化物及び金属担持複合酸化物からなる群から選ばれた少なくとも一つの化合物であることを特徴とする、前記１）〜１１）のいずれかに記載の有機ハロゲン化合物内蔵機器の無害化処理方法。
【手続補正３】
【補正対象書類名】明細書
【補正対象項目名】００１３
【補正方法】変更
【補正の内容】
【００１３】
本発明の有機ハロゲン化合物内蔵機器の無害化処理方法によれば、機器に残留している有機ハロゲン化合物含有絶縁油がイソプロピルアルコールとアルカリ化合物との混合溶液に混ざるとともに、機器本体の表面に付着、コイル等の付属部材の表面や内部に付着、或いは、紙、木片等の付属部材に染み込んだ有機ハロゲン化合物が、混合溶液中に溶解もしくは溶出されてくるので、該溶液を触媒充填装置を流通させながら循環させることにより、前記絶縁油中の有機ハロゲン化合物を短期間で洗浄することができる。また、処理時に有害なダイオキシン類が副生しないので安全である。また、常圧下でも簡易に無害化処理できるので、工場や変圧器貯蔵所などの現場で洗浄処理を実施することができる。従って、実用的な規模で大量の機器を無害化処理することが可能になる。
【手続補正４】
【補正対象書類名】明細書
【補正対象項目名】００１４
【補正方法】変更
【補正の内容】
【００１４】
前記機器の抜油が困難な場合は、前記機器に開口部を設け、充填工程において開口部から絶縁油を抜き取りながら機器内にイソプロピルアルコールとアルカリ化合物の混合溶液を充填することにより、内蔵機器を無害化処理することもできる。
【手続補正５】
【補正対象書類名】明細書
【補正対象項目名】００４２
【補正方法】変更
【補正の内容】
【００４２】
本発明において使用する「水素供与体」としては、複素環式化合物、アミン系化合物、アルコール系化合物、ケトン系化合物、及び脂環式化合物等の有機系水素供与体の中でも、特に、安全性が高く、低コストで入手可能であり、しかも反応制御が容易で、有機ハロゲン化合物分解効率が高い点より、アルコール系化合物が好ましい。
【手続補正６】
【補正対象書類名】明細書
【補正対象項目名】００４３
【補正方法】変更
【補正の内容】
【００４３】
前記のアルコール系化合物の中でも、分解効率の点から２−プロパノール（イソプロピルアルコール）が用いられる。